(57)【特許請求の範囲】
【請求項１】
同一の伝送路上に、少なくとも１つのアナログ放送番組と複数のデジタル放送番組が混在して送信されている放送信号を受信部で受信したときに、受信された放送番組がアナログ放送とデジタル放送のいずれであるかを判別するアナログ／デジタル放送の判別方法において、
前記受信部で受信される信号の出力レベルを所定値に保つＡＧＣ回路における制御信号レベルを検出する第１のステップと、
該第１のステップによって検出された制御信号レベルと所定の閾値を比較する第２のステップと、
該第２のステップで前記閾値より前記制御信号レベルが大きいと判定されたときに前記受信部における受信周波数を所定量だけ変化させる第３のステップと、該第３のステップで変化された受信周波数における前記制御信号レベルを再び検出する第４のステップと、
該第４のステップで前記閾値より前記制御信号レベルが大きいと判定されたときにデジタル放送を受信していると判定すると共に、前記閾値より前記制御信号レベルが小さいと判定されたときにアナログ放送を受信していると判定する第５のステップとを有することを特徴とするアナログ／デジタル放送の判別方法。
【請求項２】
前記第３のステップは、前記受信部における受信周波数を所定量だけ増加させる動作ステップを含むことを特徴とする請求項１に記載のアナログ／デジタル放送の判別方法。
【請求項３】
前記第３のステップは、前記受信部における受信周波数を所定量だけ減少させる動作ステップを含むことを特徴とする請求項１に記載のアナログ／デジタル放送の判別方法。
【請求項４】
前記第３のステップは、前記受信部における受信周波数を前記アナログ放送に設定された音声成分と映像成分の隙間の周波数に対応する所定値だけ増加させる動作ステップを含むことを特徴とする請求項１に記載のアナログ／デジタル放送の判別方法。
【請求項５】
前記第３のステップは、前記受信部における受信周波数を前記アナログ放送に設定された音声成分と映像成分の隙間の周波数に対応する所定値だけ減少させる動作ステップを含むことを特徴とする請求項１に記載のアナログ／デジタル放送の判別方法。
【請求項６】
前記第１乃至第５のステップを有すると共に、前記第５のステップによってアナログ放送を受信していると判定されたときに、当該のアナログ放送に対して
デジタル放送信号検出動作を行わせないように制御する選局ステップを付加することを特徴とする請求項１乃至請求項５のいずれかに記載のアナログ／デジタル放送の判別方法。
【請求項７】
同一の伝送路上に、少なくとも１つのアナログ放送番組と複数のデジタル放送番組が混在して送信されている放送信号を受信部で受信するデジタル放送受信装置において、
前記受信部で受信される信号の出力レベルを検出して、この検出値を出力する信号レベル検出手段と、
受信周波数を制御する受信周波数制御手段と、
受信する受信周波数を前記受信周波数制御手段に指示する制御手段とを備え、前記制御手段は、放送番組受信処理に先立って、前記信号レベル検出手段から出力される検出値が所定の閾値以上であるか否かを判別する第１手段と、前記第１手段で所定の閾値以上であると判断されたときに前記受信周波数制御手段の受信周波数を所定量だけ変化させる第２手段と、変化させた受信周波数において前記信号レベル検出手段から出力される検出値が所定の閾値以下であると判断されたときに、当該受信信号はアナログ放送番組であると判断する第３手段を含んで構成することを特徴とするデジタル放送受信装置。
【請求項８】
前記制御手段は、前記受信部で受信される受信信号がアナログ放送番組であると判断されたとき、当該受信周波数に関するそれ以降の放送番組受信処理を中止する第４手段を含んで構成することを特徴とする請求項７に記載のデジタル放送受信装置。
【発明の詳細な説明】
【０００１】
【発明の属する技術分野】
本発明は、同一の伝送路上に、少なくとも１つのアナログ放送番組と複数のデジタル放送番組が混在して送信されている放送信号を受信部で受信する際のアナログ／デジタル放送の判別方法及びデジタル放送受信装置に関する。
【０００２】
【従来の技術】
同軸ケーブルまたは光ケーブル等で形成される有線伝送線路、衛星波や地上波等を用いて行われる無線伝送線路を用いて行われるテレビジョン放送は、これまで、アナログの映像信号をＡＭ変調すると共に音声信号をＦＭ変調した信号を所定の搬送周波数で送信するアナログ放送番組が主流であったが、近年になってアナログの映像信号と音声信号をデジタル化し、さらにデジタル圧縮した後のデータをＱＰＳＫ変調またはＱＡＭ変調等の変調方式を用いてデジタル変調し、この信号をＯＦＤＭ方式等のデジタル伝送方式を用いて送信するデジタル放送が開始された。
【０００３】
このデジタル放送は、半導体技術、画像と音声の信号圧縮技術の著しい進歩によって可能となったものであり、従前のアナログ放送に比べて、同一の伝送路の有する周波数帯域の範囲内に、より多くの番組プログラムを放送することが可能となり、またＯＦＤＭ方式等のデジタル伝送方式が採用されることによって、伝送信号劣化の少ない高品位な放送が行える等の多くの利点を有している。
【０００４】
このような放送サービスは、その伝送路が、地上波伝送、衛星波伝送、ケーブル伝送等のように多種の伝送であったり、使用される放送衛星そのものが異なっていたり、伝送媒体自体が異なっているために、視聴者が希望する放送サービス、即ち、アナログ放送とデジタル放送のいずれかのサービスを選択することによりデジタル放送専用受信機とアナログ放送専用受信機のいずれを用いるかを一意的に決定することができる。
【０００５】
また、デジタル放送とアナログ放送の両用受信機を用いる場合には所定の受信周波数範囲をスキャン動作（選局動作）する際にはスキャン時に受信している信号がデジタル放送かアナログ放送かをそれぞれの受信機を用いることによって判断できた。
【０００６】
そして、デジタル専用受信機を用いてアナログ放送番組とデジタル放送番組が混在して送信されている放送信号を受信する場合には、その回路ブロックが例えば図４に示すように構成される。即ち、受信フロント部から出力されるＲＦ信号は、ＡＧＣ回路１によってその出力が適正なレベルに調整され、その次段に接続されたＰＬＬ回路２（信号検出回路３を含む）によって希望の周波数の信号が取り出され、次段のＬＩＮＫ回路４に出力される。
【０００７】
このＬＩＮＫ回路４は、ＰＬＬ回路２から出力されるデジタル放送信号をデコードして所定形式のトランスポートストリームのデータを作り出すもので、その回路ブロックがＩＣ化されている。このＬＩＮＫ回路４から出力される第１の制御信号によってＡＧＣ回路１が制御され、制御／デコードを行うマイコン５から出力される第２の制御信号によってＰＬＬ回路２とＬＩＮＫ回路４が制御され、マイコン５から出力されるビデオデータがビデオデコーダ６によって所定の信号形態のビデオ出力とされ、マイコン５から出力されるオーディオデータがオーディオデコーダ７によって所定の信号形態のオーディオ出力とされる。
【０００８】
このように構成されたデジタル専用受信機におけるアナログ／デジタル放送の判別は、図５に示すフローチャートのように行われ、動作開始に伴って先ずステップＳ１によって現在受信されている周波数が予め設定されている最大値以下であるか否かが判定され、Ｎｏの場合には動作終了とされ、Ｙｅｓの場合には、次のステップＳ２に移行してマイコン５からＰＬＬ回路２に出力される第２の制御信号のデータとして周波数データが送信された後にステップＳ３に移行する。
【０００９】
このステップＳ３は、ＡＧＣ回路１におけるＡＧＣレベルの値、即ち第１の制御信号のレベル値が所定の閾値より大きいか小さいかのいずれであるかが判定され、閾値より小さい場合には受信信号が無しと判断されてステップＳ４に進んで次の受信周波数に進み、ステップＳ１とステップＳ２が再度に亘って実行され、ステップＳ３においてＡＧＣレベルの値が閾値より大きいと判定されたときには受信信号がデジタル放送であると判断されて次のステップＳ５に移行する。
【００１０】
このステップＳ５は、受信部でＴｕｎｅしているか否かを判定するもので、Ｙｅｓの場合にはステップＳ６に進んでＴｕｎｉｎｇパラメータの記録がなされた後に前述のステップＳ４が実行されて次の受信周波数に進み、ステップＳ１乃至ステップＳ３が再び実行される。
【００１１】
そして、ステップＳ５でＮｏの場合、即ちＴｕｎｅしていない場合にはステップＳ７に移行して受信周波数を通常の選局ステップより少ない値に少し移動させ、次のステップＳ８に移行してマイコン５からＰＬＬ回路２に出力される第２の制御信号のデータとして周波数データが送信された後に前述のステップＳ５に戻されてこれ以降のステップが再度に亘って実行される。
【００１２】
従って、このようなデジタル専用受信機の場合には、受信された放送がアナログ放送であることが直接に判定できないために受信信号が全てデジタル放送に対応しているものとして一連の受信処理を行っている。
【００１３】
【発明が解決しようとする課題】
アナログ放送番組とデジタル放送番組が混在して存在するケーブル放送局、特にアナログ放送番組の局数が多い場合には、実際に受信することができないアナログ放送番組に対してもデジタル放送番組に対応しているものとして一連の受信処理を行っているために「アナログ放送とデジタル放送」の判別を行うに必要な時間が多く掛かってしまうという問題があり、特に、所定受信周波数範囲の中で選局動作を行う場合には、その一連の選局動作に必要とされる時間が多く掛かってしまうという問題がより増長し、これらの問題は、アナログ放送番組の数が増えれば増える程に顕著になって来る。
【００１４】
そこで、本発明の目的は、少なくとも１つのアナログ放送番組と複数のデジタル放送番組が混在した放送信号を同一の伝送路上で受信する際に、アナログ放送番組とデジタル放送番組を短い時間で判別することができるアナログ／デジタル放送の判別方法及びデジタル放送受信装置を提供することにある。
【００１５】
【課題を解決するための手段】
前記課題を解決するために、本発明によるアナログ／デジタル放送の判別方法及びデジタル放送受信装置は、次に記載するような特徴的な動作ステップを有している。
【００１６】
（１）同一の伝送路上に、少なくとも１つのアナログ放送番組と複数のデジタル放送番組が混在して送信されている放送信号を受信部で受信したときに、受信された放送番組がアナログ放送とデジタル放送のいずれであるかを判別するアナログ／デジタル放送の判別方法において、
前記受信部で受信される信号の出力レベルを所定値に保つＡＧＣ回路における制御信号レベルを検出する第１のステップと、
該第１のステップによって検出された制御信号レベルと所定の閾値を比較する第２のステップと、
該第２のステップで前記閾値より前記制御信号レベルが大きいと判定されたときに前記受信部における受信周波数を所定量だけ変化させる第３のステップと、
該第３のステップで変化された受信周波数における前記制御信号レベルを再び検出する第４のステップと、
該第４のステップで前記閾値より前記制御信号レベルが大きいと判定されたときにデジタル放送を受信していると判定すると共に、前記閾値より前記制御信号レベルが小さいと判定されたときにアナログ放送を受信していると判定する第５のステップとを有するアナログ／デジタル放送の判別方法。
【００１７】
（２）前記（１）の第３のステップは、前記受信部における受信周波数を所定量だけ増加させる動作ステップを含むアナログ／デジタル放送の判別方法。
【００１８】
（３）前記（１）の第３のステップは、前記受信部における受信周波数を所定量だけ減少させる動作ステップを含むアナログ／デジタル放送の判別方法。
【００１９】
（４）前記（１）の第３のステップは、前記受信部における受信周波数を前記アナログ放送に設定された音声成分と映像成分の隙間の周波数に対応する所定値だけ増加させる動作ステップを含むアナログ／デジタル放送の判別方法。
【００２０】
（５）前記（１）の第３のステップは、前記受信部における受信周波数を前記アナログ放送に設定された音声成分と映像成分の隙間の周波数に対応する所定値だけ減少させる動作ステップを含むアナログ／デジタル放送の判別方法。
【００２１】
（６）前記（１）乃至前記（５）のいずれかの「第１乃至第５のステップ」を有すると共に、前記第５のステップによってアナログ放送を受信していると判定されたときに、当該のアナログ放送に対してデジタル放送信号検出動作を行わせないように制御する選局ステップを付加するアナログ／デジタル放送の判別方法。
【００２２】
（７）同一の伝送路上に、少なくとも１つのアナログ放送番組と複数のデジタル放送番組が混在して送信されている放送信号を受信部で受信するデジタル放送受信装置において、
前記受信部で受信される信号の出力レベルを検出して、この検出値を出力する信号レベル検出手段と、
受信周波数を制御する受信周波数制御手段と、
受信する受信周波数を前記受信周波数制御手段に指示する制御手段とを備え、
前記制御手段は、放送番組受信処理に先立って、前記信号レベル検出手段から出力される検出値が所定の閾値以上であるか否かを判別する第１手段と、前記第１手段で所定の閾値以上であると判断されたときに前記受信周波数制御手段の受信周波数を所定量だけ変化させる第２手段と、変化させた受信周波数において前記信号レベル検出手段から出力される検出値が所定の閾値以下であると判断されたときに、当該受信信号はアナログ放送番組であると判断する第３手段を含んで構成するデジタル放送受信装置。
【００２３】
（８）前記（７）の制御手段は、前記受信部で受信される受信信号がアナログ放送番組であると判断されたとき、当該受信周波数に関するそれ以降の放送番組受信処理を中止する第４手段を含んで構成するデジタル放送受信装置。
【００２４】
【発明の実施の形態】
以下、本発明の一実施の形態について図面を用いて詳細に説明する。この実施形態は、アナログ放送番組がフランス国等で実施されているＳＥＣＡＭ規格に適合した形態で信号生成されている場合に本発明の方法を適用した例であり、その方法を実現するための動作ステップは、次のような第１乃至第５のステップを有している。
【００２５】
第１のステップは、受信部で受信される信号の出力レベルを所定値に保つＡＧＣ回路における制御信号レベルを検出するもので、第２のステップは、第１のステップによって検出された制御信号レベルと所定の閾値を比較するもので、第３のステップは、第２のステップで前記閾値より前記制御信号レベルが大きいと判定されたときに前記受信部における受信周波数を所定量だけ変化させるもので、第４のステップは、第３のステップで変化された受信周波数における前記制御信号レベルを再び検出するもので、第５のステップは、第４のステップで前記閾値より前記制御信号レベルが大きいと判定されたときにデジタル放送を受信していると判定すると共に、前記閾値より前記制御信号レベルが小さいと判定されたときにアナログ放送を受信していると判定するものである。
【００２６】
また、この第３のステップは、受信部における受信周波数を所定量だけ増加させる動作ステップを含むと共に、その増加させる値は、受信周波数を前記アナログ放送に設定された音声成分と映像成分の隙間の周波数に対応する所定値（２．５ＭＨｚ）だけ増加させる動作ステップが含まれている。
【００２７】
本実施形態の判別方法の詳しい動作を示す図１のフローチャートは、従来の方法における動作ステップ（図５）の一部を変えたもので、その要部は破線で囲ったステップＳ０の部分である。
【００２８】
また、本実施形態に用いられるアナログ放送番組とデジタル放送番組の周波数とＡＧＣレベルの関係は、図２に示すようにデジタル放送番組の場合には、その変調方式がＱＡＭである場合には、予め決められた周波数帯域（通常は８ＭＨｚまたは７ＭＨｚ）に亘って略一様なレベル分布を有し、アナログ放送番組の場合には、その音声信号成分が低い周波数の側に位置され、これより高い周波数の側に隙間を介して映像信号成分が分布されている。
【００２９】
そして、動作開始に伴って先ずステップＳ１では、マイコンによって現在受信されている周波数が予め設定されている最大値以下であるか否かが判定され、Ｎｏの場合には動作終了とされ、Ｙｅｓの場合には、次のステップＳ２に移行してマイコンからＰＬＬ回路に周波数データが送信された後にステップＳ９に移行する。
【００３０】
ステップＳ９は、ＡＧＣを行うための制御信号レベルの値が所定の閾値より大であるか小であるかの判別をするもので、マイコンによって行われ、閾値より小である場合には受信信号が無しと判断されてステップＳ４に進んで次の受信周波数に進み、ステップＳ１とステップＳ２が再度に亘って実行され、ステップＳ９においてＡＧＣレベルの値が閾値より大きいと判定されたときには、何等かの信号が有りと判定されて、次のステップＳ１０に移行し、現在の受信周波数を２．５ＭＨｚだけ大きくする旨のデータをＰＬＬ回路へ送信し次のステップＳ１１に移行する。
【００３１】
ステップＳ１１は、マイコンによってＡＧＣの値が所定の閾値より小さいか大きいかの判定をするもので、閾値より小さい場合にはアナログ放送番組を受信していると判断し前述のステップＳ４に戻されて次の周波数に進み、一連のステップＳ１、Ｓ２、Ｓ９〜Ｓ１１が再度に亘って実行され、ステップＳ１１においてＡＧＣレベルの値が閾値より大きいと判定されたときには、デジタル放送番組を受信していると判断して次のステップＳ５に移行する。
【００３２】
ステップＳ５は、受信部でＴｕｎｅしているか否かを判定するもので、Ｙｅｓの場合にはステップＳ６に進んでＴｕｎｉｎｇパラメータの記録がなされた後に前述のステップＳ４が実行されて次の受信周波数に進み、一連のステップＳ１、Ｓ２、Ｓ９〜Ｓ１１が実行され、ステップＳ５が再び実行される。
【００３３】
そして、ステップＳ５でＮｏの場合、即ちＴｕｎｅしていない場合にはステップＳ７に移行して受信周波数を通常の選局ステップより少ない値に少し移動させ、次のステップＳ８に移行してマイコンからＰＬＬ回路に出力される第２の制御信号のデータとして周波数データが送信された後に前述のステップＳ５に戻されてこれ以降のステップが再度に亘って実行される。
【００３４】
前述のステップＳ１０における２．５ＭＨｚというのは図２に示すようなアナログ放送番組の音声信号成分と画像信号成分の隙間の一部と音声信号成分の一部を含む範囲をカバーする周波数ｆ１から周波数ｆ２までの範囲に設定されていて、この値（２．５ＭＨｚ）は最適値を実験的に求めたものである。
【００３５】
従って、アナログ放送番組とデジタル放送番組が混在した放送信号を、同一の伝送路上で受信する際に、アナログ放送番組であることの判別が迅速に行えると共に、特に、デジタル放送番組のサービスを受信しようとしてデジタル放送番組のシーク選局を行う場合、アナログ放送番組であると判定された時点で当該のアナログ放送番組の再現等の処理を行わず次の受信周波数の検出に移行できるので一連のシーク選局に必要とされる時間を著しく短縮化することができる。
【００３６】
なお、ステップＳ１０における周波数は、２．５ＭＨｚとされているが、この値はビデオ信号の規格がＳＥＣＡＭの場合の最適値であり、規格がこれとは異なったＮＴＳＣ等々であった場合には、それに対応して最適な値に変更してもよいことは勿論であり、音声信号成分と映像信号成分がお互いに分離し、かつ周波数的に充分に離れているアナログ放送番組に関して本発明を適応できる。
【００３７】
また、ステップＳ１０においては現在の周波数を所定量（例えば２．５ＭＨｚ）だけ増加するようにしているが、所定量だけ減少させる動作ステップに変更させるようにしてもよく、実施の形態では２．５ＭＨｚとしている先読みの周波数をその信号に合わせることにより、音声信号と映像信号の周波数的な配置が変わっても本発明を適用できることは勿論である。
【００３８】
さらに、本発明における伝送線路は、地上電波や衛星電波が伝送路となっている場合のみならず、同軸ケーブルまたは光ケーブル等で形成される有線伝送線路で形成されていてもよいことは勿論であり、放送信号に混在するアナログ放送番組の数とデジタル放送番組の数は全くの任意であって、少なくとも１つのアナログ放送番組が含まれれば本発明の対象とされる放送信号となる。
【００３９】
次に本発明の一実施の形態によるデジタル放送受信装置を図３を用いて説明する。図３において、同一の伝送路上に、少なくとも１つのアナログ放送番組と複数のデジタル放送番組が混在して送信されている放送信号を受信部で受信するデジタル放送受信装置において、受信フロントエンド部を有する受信部８から出力されるＲＦ信号は、ＡＧＣ回路９によってその出力が適正なレベルに調整され、その次段に接続されたＰＬＬ回路１０（信号検出回路１１を含む）によって希望の周波数の信号が取り出されて次段のＬＩＮＫ回路１２に出力される。
【００４０】
ＬＩＮＫ回路１２は、ＰＬＬ回路１０から出力されるデジタル放送信号をデコードして所定形式のトランスポートストリームのデータを作り出すもので、その回路ブロックがＩＣ化されている。このＬＩＮＫ回路１０から出力される制御信号によってＡＧＣ回路９が制御され、デジタル放送受信装置の全体を複合的に制御するマイコン１３からの制御信号によってＰＬＬ回路１０とＬＩＮＫ回路１２が制御され、これと同時にマイコン１３から出力されるビデオデータがビデオデコーダ１４によって所定の信号形態のビデオ出力とされ、マイコン１３から出力されるオーディオデータがオーディオデコーダ１５によって所定の信号形態のオーディオ出力とされる。
【００４１】
マイコン１３には、信号レベル検出手段１６と受信周波数制御手段１７と制御手段１８が設けられている。この信号レベル検出手段１６は、受信部８で受信される信号の出力レベルを検出して、この検出値を出力するもので、受信周波数制御手段１７は、ＰＬＬ回路１０における出力周波数（受信周波数）を制御するもので、制御手段１８は、受信部８によって得られる受信周波数を受信周波数制御手段１７に指示するものである。
【００４２】
制御手段１８は、第１制御手段１９乃至第４制御手段２２を有している。
【００４３】
第１制御手段１９は、放送番組受信処理に先立って、信号レベル検出手段１６から出力される検出値が所定の閾値以上であるか否かを判別するもので、第２制御手段２０は、第１手段１９によって所定の閾値以上であると判断されたときに受信周波数制御手段１７の受信周波数（ＰＬＬ回路１０の出力周波数）を所定量（例えば２．５ＭＨｚ）だけ変化させるもので、第３制御手段２１は、第２制御手段２０によって変化させた受信周波数において信号レベル検出手段１６から出力される検出値が所定の閾値以下であると判断されたときに、当該受信信号はアナログ放送番組であると判断するもので、第４制御手段２２は、受信部８で受信される受信信号がアナログ放送番組であると判断されたとき、当該受信周波数に関するそれ以降の放送番組受信処理を中止するものである。
【００４４】
受信部８で受信される信号の出力レベルを所定値に保つＡＧＣ回路９における制御信号レベルを検出し、この値と所定の閾値を比較し、制御信号レベルが大きいと判定されたときに受信部８における受信周波数を所定量だけ変化させ、その変化された受信周波数における制御信号レベルを再び検出し、制御信号レベルが大きいと判定されたときにデジタル放送を受信していると判定すると共に、小さいと判定されたときにアナログ放送を受信していると判定することができる。また、アナログ放送番組であると判断されたときには、当該受信周波数に関するそれ以降の放送番組受信処理が中止される。
【００４５】
従って、アナログ放送番組とデジタル放送番組が混在した放送信号を、同一の伝送路上で受信する際に、アナログ放送番組であることの判別が迅速に行えると共に、特に、デジタル放送番組のサービスを受信しようとしてデジタル放送番組のシーク選局を行う場合、アナログ放送番組であると判定された時点で当該のアナログ放送番組の再現等の処理を行わず次の受信周波数の検出に移行できるので一連のシーク選局に必要とされる時間を著しく短縮化することができる。
【００４６】
なお、受信周波数を変化（増加または減少）させるステップは、２．５ＭＨｚとされているが、この値はビデオ信号の規格がＳＥＣＡＭの場合の最適値であり、規格がこれとは異なったＮＴＳＣ等々であった場合には、それに対応して最適な値に変更してもよいことは勿論であり、音声信号成分と映像信号成分がお互いに分離し、かつ周波数的に充分に離れているアナログ放送番組に関して本発明装置を適応できる。
【００４７】
以上、本発明によるアナログ／デジタル放送の判別方法及びデジタル放送受信装置の好適実施形態の動作および構成を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００４８】
【発明の効果】
以上の説明で明らかなように、本発明によれば、アナログ放送番組とデジタル放送番組が混在して存在する放送信号を受信して、アナログ放送番組であるのかデジタル放送番組であるのかの判別を迅速に検出することができ、検出された時点で当該のアナログ放送番組に対する以降の一連の受信処理をキャンセルさせるので、特に、アナログ放送番組の局数が多い場合に、一連の選局動作を行うに必要な時間が著しく短縮化することができる効果があり、この効果は、放送信号に含まれるアナログ放送番組の数が増えれば増える程に顕著に生じる。
【００４９】
従って、本発明によれば、少なくとも１つのアナログ放送番組と複数のデジタル放送番組が混在した放送信号を同一の伝送路上で受信する際に、アナログ放送番組とデジタル放送番組を短い時間で判別することができるアナログ／デジタル放送の判別方法及びデジタル放送受信装置を提供することができる。
【図面の簡単な説明】
【図１】本発明の一実施の形態によるアナログ／デジタル放送の判別方法を説明するためのフローチャートである。
【図２】図１に示されるフローチャートの一部の動作ステップを説明するために用いられる、放送番組における信号成分の分布をアナログ放送とデジタル放送のそれぞれを併せて示す線図である。
【図３】本発明の一実施の形態によるデジタル放送受信装置の概略構成を示すブロック回路図である。
【図４】従来のアナログ／デジタル放送の判別方法を説明するためのデジタル放送専用受信機の概略回路構成を示すブロック回路図である。
【図５】図４に示されるデジタル放送専用受信機の動作をアナログ／デジタル放送の判別動作を主として説明するためのフローチャートである。
【符号の説明】
１，９    ＡＧＣ回路
２，１０  ＰＬＬ回路
３，１１  信号検出回路
４，１２  ＬＩＮＫ回路
５，１３  マイコン
６，１４  ビデオデコーダ
７，１５  オーディオデコーダ
８  受信部
１６  信号レベル検出手段
１７  受信周波数制御手段
１８  制御手段
１９  第１手段
２０  第２手段
２１  第３手段
２２  第４手段
【図１】
0003806667.tif 000002
【図２】
0003806667.tif 000003
【図３】
0003806667.tif 000004
【図４】
0003806667.tif 000005
【図５】
0003806667.tif 000006